(57)【特許請求の範囲】
【請求項１】
多数の凹所の開孔部をボード表面に配置し、又は、多数の凹所の開孔部と多数の貫通孔の開孔部とをボード表面に配置したボード建材において、
前記ボード建材の基材は、石膏ボードからなり、前記凹所の底面は、石膏ボード原紙により形成され且つ石膏ボード固定用の係止具を螺子込み可能な平坦な面であり、
前記凹所の縁部は、非加熱の雄型の平坦な押圧面を常態の前記石膏ボードのボード表面に押圧することより形成され、前記凹所の縁部輪郭と一致する位置に曲げ変形手段として溝、Ｖカット、折曲げ線、ドット、スリット又は小孔を有し、且つ多角形の凹所の縁部輪郭を前記ボード表面に形成する前記石膏ボード原紙の段差からなり、
前記底面の外形輪郭は、正面視において前記凹所の縁部輪郭と一致し、
前記ボード表面の石膏ボード原紙は、前記段差及び前記凹所底面に連続しており、
前記凹所底面は、前記雄型の押圧面によって、石膏ボード固定用の係止具を螺子込み可能な平坦面に形成されており、
前記凹所は、少なくとも、前記係止具を螺子込むべきボード建材の領域に配置され、前記底面の色はボード表面の色よりも相対的に低い明度に設定されることを特徴とするボード建材。
【請求項２】
多数の凹所の開孔部をボード表面に配置し、又は、多数の凹所の開孔部と多数の貫通孔の開孔部とをボード表面に配置したボード建材において、
前記ボード建材の基材は、石膏ボードからなり、前記凹所の底面は、石膏ボード原紙により形成されており、
前記凹所の縁部は、多角形の凹所の縁部輪郭を前記ボード表面に形成する前記石膏ボード原紙の段差からなり、前記ボード表面の石膏ボード原紙は、前記段差及び前記凹所底面に連続しており、
前記凹所の段差は、非加熱の雄型の平坦な押圧面を常態の前記石膏ボードのボード表面に押圧することより形成されており、
前記凹所の縁部は、前記雄型の押圧時に前記ボード表面に過渡的に食い込む食い込み部材により、前記凹所の縁部輪郭と一致する位置において前記石膏ボード原紙を局部的に切断又は破断されており、
前記凹所の底面は、前記雄型の押圧面によって、石膏ボード固定用の係止具を螺子込み可能な平坦面に形成され、前記底面の外形輪郭は、正面視において前記凹所の縁部輪郭と一致しており、
前記凹所は、少なくとも、前記係止具を螺子込むべきボード建材の領域に配置され、前記底面の色はボード表面の色よりも相対的に低い明度に設定されることを特徴とするボード建材。
【請求項３】
前記凹所は、ボード表面からの深さが０．１〜２．０mmの範囲に設定されることを特徴とする請求項１又は２に記載のボード建材。
【請求項４】
前記凹所の開孔部、又は、前記凹所及び貫通孔の開孔部は、規則的又は均等にボード表面に配置されることを特徴とする請求項３に記載のボード建材。
【請求項５】
前記凹所及び貫通孔の開孔比率の調節によりボード建材に所定の吸音性を設定したことを特徴とする請求項１乃至４のいずれか１項に記載のボード建材。
【請求項６】
前記貫通孔の背面にシート材料を積層したことを特徴とする請求項１乃至５のいずれか１項に記載のボード建材。
【請求項７】
前記シート材料は、ガラス繊維と無機物とを含むシート状物よりなることを特徴とする請求項６に記載のボード建材。
【請求項８】
前記底面は、前記係止具を位置決め可能な位置決め指標を有することを特徴とする請求項１乃至７のいずれか１項に記載のボード建材。
【請求項９】
前記位置決め指標は、前記係止具の先端を挿入可能な窪み又は十字溝からなることを特徴とする請求項８に記載のボード建材。
【請求項１０】
前記位置決め指標は、前記底面の中心に配置されることを特徴とする請求項８又は９に記載のボード建材。
【請求項１１】
前記係止具は、ボード固定用ビスであることを特徴とする請求項８乃至１０のいずれか１項に記載のボード建材。
【請求項１２】
前記底面の色は、前記石膏ボード原紙の色と同一であることを特徴とする請求項１乃至１１のいずれか１項に記載のボード建材。
【請求項１３】
請求項１乃至１２のいずれか１項に記載のボード建材を製造するためのボード建材の製造方法であって、
雄型の平坦な押圧面を前記ボード表面に押圧することにより、ボード係止具を螺子込み可能な底面を有する所定深さの前記凹所を前記ボード表面に形成することを特徴とするボード建材製造方法。
【請求項１４】
前記雄型を挿入可能なガイド孔と、前記ボード表面に当接可能な当接面とを備えたガイドプレートを使用し、前記当接面を前記ボード表面に当接させた状態で前記雄型の押圧面を前記ボード表面に押圧することを特徴とする請求項１３に記載のボード建材製造方法。
【請求項１５】
前記凹所の輪郭と実質的に一致し、前記ボード表面を変形し易くするように該ボード表面に過渡的に食い込む部材を使用したことを特徴とする請求項１４に記載のボード建材製造方法。
【請求項１６】
前記ボード建材の基材の表面の色を前記底面の色に予め着色し、所定深さの凹所を形成した後に、前記底面の色よりも相対的に高い明度の色に前記基材の表面を着色することを特徴とする請求項１３乃至１５のいずれか１項に記載のボード建材製造方法。
【請求項１７】
請求項１乃至１２のいずれか１項に記載されたボード建材を用いたボード建材の施工方法であって、
前記凹所及び貫通孔の開孔比率の調節によって吸音性を向上した第１ボード建材と、凹所及び貫通孔の開孔比率の調節によって吸音性を低下させた第２ボード建材とを使用し、室内内装表面の意匠的均一性又は統一性を損なうことなく、第１及び第２ボード建材を適当に配置することにより、室の吸音効果及び残響効果を設定することを特徴とするボード建材施工方法。
【発明の詳細な説明】
【技術分野】
【０００１】
本発明は、ボード建材、ボード建材製造方法及びボード建材施工方法に関するものであり、より詳細には、多数の開孔が視覚的に均等又は規則的に表面に形成された開孔ボード建材及びその製造方法、更には、このようなボード建材の施工方法に関するものである。
【背景技術】
【０００２】
建築物の内装仕上材として、石膏ボード、珪酸カルシウム板等のボード建材が広く実用に供されている。この種のボード建材は一般に、ビス、釘等のボード係止具（以下、単に「係止具」という。）を使用し、或いは、係止具及び接着剤を併用して軽量鉄骨下地又は捨貼りボード材等の内装下地材に固定される。係止具は、その露出部分が表面と面一又は僅かに引っ込むようにボード建材に螺子込まれ又は打込まれ、内装下地材に堅固に固定される。螺子込み又は打込んだ係止具の露出部分廻りには、局所的な起伏又は窪みがボード表面に発生し、或いは、ドライバー等の回転工具に係合するビス頭の十字穴等がボード表面に露出する。このため、塗装又はクロス貼り等の施工の前に露出部分のパテ処理が行われる。
【０００３】
このようなパテ処理を予め考慮し、パテ処理用の凹所又は溝等を係止具の螺子込み又は打込み位置に予め形成する施工方法を想定することができる。例えば、ビス頭の輪郭よりも若干大きい直径の円形凹所をビス位置に予め形成し、凹所の中心にビスを螺子込んだ後、凹所内にパテ材を充填し、これにより、凹所内に露出したビス頭をパテ材内に埋設することができるであろう。これに類似する技術として、特開昭55-138556号公報には、タイル目地に相当する規則的な溝を備えたタイル模様のボード建材が開示されている。このボード建材は、溝底部分に釘を打込むことによって下地材に留付けられ、溝内には、白セメントが充填される。釘の頭部分は、白セメント硬化体の中に埋没するので、室内空間から視覚的に隠蔽される。
【０００４】
また、表面に予め仕上げ材を施した化粧石膏ボード、化粧珪酸カルシウム板等のボード建材が知られている。この種のボード建材では、塗装又はクロス貼り等の施工をボード表面に行う必要がなく、従って、ボード建材を天井面又は壁面に固定するだけで、室内側の内装仕上げ面が形成される。このような化粧ボード建材をビスで下地材に固定する場合、ビス頭によって生じるボード表面の起伏又は凹凸や、ビス頭の露出等を考慮し、ビス頭部分のパテ処理及び特殊塗装や、特殊ビスの使用などの対策が、通常は、採用される。
【０００５】
このようなビス頭の意匠的処理を行うことなく、ビス頭の存在を視覚的に意識させない手法として、ボード表面に予め不規則な模様を施す方法が知られている（特開2003-154514号公報）。この種の手法は、虫食い模様の如く不規則な模様を備えた化粧天井板等には適用し得るかもしれない。しかし、このような手法は、均一又は規則的な模様、凹凸又は開孔を備えたボード建材には、適用することができない。
【０００６】
更には、多数の小径又は小寸法の貫通孔を形成した開孔ボード建材が知られている。開孔ボード建材は、エコー防止や、残響時間調整等の吸音又は音響調整を主目的としたものであり、適当な開孔率を有する面材からなる。一般に、グラスウール等の吸音材を充填可能な吸音材充填層や、空気層が面材の裏側に配置され、或いは、紙等のシート材料が、面材の裏面に積層され、開孔ボード建材の室内側表面には、必要に応じて塗装又はクロス等の内装仕上げが工場又は建設現場で施される。このような開孔ボード建材において、貫通孔の一部を非貫通の亀裂状孔（fissure-like perforations）に成形した構成のものが知られている（特表2000-504797）。
【特許文献１】特開昭55-138556号公報
【特許文献２】特開2003-154514号公報
【特許文献３】特表2000-504797号公報
【発明の開示】
【発明が解決しようとする課題】
【０００７】
一般に、音響調整又は吸音を主目的とした開孔ボード建材には、多数の貫通孔が配置され、貫通孔は、様々な模様や陰影を表面全域に表出する。しかしながら、ボード固定ビス等の係止具は、貫通孔部分に打込み又は螺子込むことができない。このため、開孔ボード建材は、通常は、係止具を螺子込み又は打込み可能な無開孔領域を部分的に備える。例えば、この種の無開孔領域は、ボードの外周領域に形成され、或いは、ボードを横断する帯状形態に形成される。
【０００８】
しかるに、このような無開孔領域をボード建材に形成すると、貫通孔の数及び配置、或いは、規則性・均等性及び意匠性は、無開孔領域を確保したことで制約を受ける。しかも、係止具の露出部分を隠蔽するパテ処理及び／又は塗装処理等を施す必要が生じてしまう。
【０００９】
係止具の露出部分の意匠的処理を意図して、パテ処理用の凹所又は溝等を予めボードに形成する方法（特許文献１）を採用することも可能であるかもしれない。しかし、このような方法では、パテの乾燥収縮、経年変化又は経年劣化等が生じるので、パテ処理用の凹所又は溝自体が却って目立つ結果を招き易い。
【００１０】
他方、上記特許文献２及び３に記載されたようにボード表面に予め不規則な模様を施す手法（即ち、係止具の存在を不規則な模様で視覚的に目立たなくする手法）は、規則的又は均等な貫通孔を備えた開孔ボード建材には、適用できない。
【００１１】
また、開孔ボード建材は、主として、室内の音響特性の改善を意図して使用されるものであり、多くの場合、一定の領域を全面的に開孔ボード建材で施工することが望ましい。しかし、室の用途又は構造によっては、必ずしも被施工面全域が全面的に吸音性能を備えることが望ましいとは限らず、音響特性の改善に有効な部分にのみ開孔ボード建材を配置し、吸音性能を要しない部分や、若干の音の反射を要する部分には、汎用のボード建材（無開孔ボード建材）を配置することが望ましい場合がある。しかし、開孔ボード建材及び無開孔ボード建材の混在は、室内内装表面の意匠的均一性又は統一性を損ない、不自然な印象や、違和感を与える可能性が高く、多くの場合、室内意匠設計を困難にする。このため、現実には、吸音性能の要否にかかわらず、天井面等の被施工面を一律に開孔ボード建材で全面施工する方法が採用されている。
【００１２】
本発明は、このような事情に鑑みてなされたものであり、その目的とするところは、開孔の規則性・均等性又は意匠性を損なうことなく係止具の螺子込み領域又は打込み領域を確保するとともに、係止具露出部分のパテ処理等の省略により、施工性を改善することができるボード建材及びその製造方法を提供することにある。
【００１３】
本発明は又、室内内装表面の意匠的均一性又は統一性を損なうことなく、室内内装表面の吸音効果及び残響効果を任意に設定することができるボード建材の施工方法を提供することを目的とする。
【課題を解決するための手段】
【００１４】
上記目的を達成すべく、本発明は、多数の凹所の開孔部をボード表面に配置し、又は、多数の凹所の開孔部と多数の貫通孔の開孔部とをボード表面に配置したボード建材において、
前記ボード建材の基材は、石膏ボードからなり、前記凹所の底面は、石膏ボード原紙により形成され且つ石膏ボード固定用の係止具を螺子込み可能な平坦な面であり、
前記凹所の縁部は、非加熱の雄型の平坦な押圧面を常態の前記石膏ボードのボード表面に押圧することより形成され、前記凹所の縁部輪郭と一致する位置に曲げ変形手段として溝、Ｖカット、折曲げ線、ドット、スリット又は小孔を有し、且つ多角形の凹所の縁部輪郭を前記ボード表面に形成する前記石膏ボード原紙の段差からなり、
前記底面の外形輪郭は、正面視において前記凹所の縁部輪郭と一致し、
前記ボード表面の石膏ボード原紙は、前記段差及び前記凹所底面に連続しており、
前記凹所底面は、前記雄型の押圧面によって、石膏ボード固定用の係止具を螺子込み可能な平坦面に形成されており、
前記凹所は、少なくとも、前記係止具を螺子込むべきボード建材の領域に配置され、前記底面の色はボード表面の色よりも相対的に低い明度に設定されることを特徴とするボード建材を提供する。
【００１５】
本発明は又、多数の凹所の開孔部をボード表面に配置し、又は、多数の凹所の開孔部と多数の貫通孔の開孔部とをボード表面に配置したボード建材において、
前記ボード建材の基材は、石膏ボードからなり、前記凹所の底面は、石膏ボード原紙により形成されており、
前記凹所の縁部は、多角形の凹所の縁部輪郭を前記ボード表面に形成する前記石膏ボード原紙の段差からなり、前記ボード表面の石膏ボード原紙は、前記段差及び前記凹所底面に連続しており、
前記凹所の段差は、非加熱の雄型の平坦な押圧面を常態の前記石膏ボードのボード表面に押圧することより形成されており、
前記凹所の縁部は、前記雄型の押圧時に前記ボード表面に過渡的に食い込む食い込み部材により、前記凹所の縁部輪郭と一致する位置において前記石膏ボード原紙を局部的に切断又は破断されており、
前記凹所の底面は、前記雄型の押圧面によって、石膏ボード固定用の係止具を螺子込み可能な平坦面に形成され、前記底面の外形輪郭は、正面視において前記凹所の縁部輪郭と一致しており、
前記凹所は、少なくとも、前記係止具を螺子込むべきボード建材の領域に配置され、前記底面の色はボード表面の色よりも相対的に低い明度に設定されることを特徴とするボード建材を提供する。
【００１６】
本発明は更に、上記構成のボード建材において、凹所及び貫通孔の比率の調節によりボード建材の吸音性を設定したことを特徴とするボード建材を提供する。
【００１７】
凹所の全部又は一部を係止具の螺子込み領域に配置し、係止具を螺子込み可能な面を凹所の底面により形成した本発明の上記構成によれば、ボード建材を係止具で下地材に留付ける領域に凹所を配置することにより、係止具で留付け可能な部分（凹所）を開孔ボード建材に形成することができる。凹所の底面の色は、ボード建材表面の色と比較して相対的に低い明度に設定され、凹所及び貫通孔は、室内側から視覚的に区別し難く、凹所及び貫通孔は、視覚的に同一の印象を室内居住者等に与える。即ち、係止具を螺子込み可能な部分が、貫通孔として視覚的に認識される凹所によって形成されるので、開孔の規則性・均等性又は意匠性は、螺子込み領域の確保に伴う制約を受けない。
【００１８】
また、開孔を規則的又は均等にボード表面に配置するとともに、凹所の底面の色をボード建材表面の色よりも相対的に低い明度に設定した本発明の上記構成によれば、凹所及び貫通孔は、室内側から視覚的に区別し難く、凹所及び貫通孔は、視覚的に同一の印象を室内居住者等に与える。開孔の規則性・均等性又は意匠性は、凹所の形成による制約（又は、貫通孔の一部又は全部を凹所に置換したことに伴う制約）を受けない。また、係止具の露出部分を底面（即ち、ボード表面の色よりも相対的に低い明度に設定され、ボード表面より窪んだ底面）に係止具の露出部分を配置することができる。室内居住者等は、このような係止具の露出部分を視覚的に意識し難い。従って、係止具露出部分のパテ処理等を省略することができる。所望により、底面と実質的に同色の露出部分を有する係止具が使用され、或いは、底面と実質的に同色の塗装が係止具の露出部分に塗装される。好ましくは、係止具露出部分の表面には、光を乱反射する微細な起伏又は凹凸が形成される。例えば、係止具露出部分は、このような微細な起伏又は凸凹を施した上で底面と実質的に同色に塗装され、或いは、比較的厚い塗装が係止具露出部分に施され、塗膜による微細な起伏又は凹凸が係止具露出部分に形成される。これにより、凹所に入射する特定の方向の自然光又は人工光によって係止具露出部分が視覚的に目立つような現象を防止することができる。即ち、このような簡易な手段の採用により、係止具の露出部分を更に目立たなくし、係止具を室内居住者等に全く意識させないようにすることが可能となる。
【００１９】
凹所及び貫通孔の比率調節によりボード建材の吸音性を設定する本発明の上記構成によれば、室内内装表面の吸音効果及び残響効果を任意に設定することができる。即ち、貫通孔は、ボード建材の吸音性を向上し、凹所は、ボード建材の吸音性を低下させるように作用するので、凹所及び貫通孔の比率調節により、ボード建材の吸音性を任意に設定することができる。しかも、凹所及び貫通孔の比率の変化は、開孔の規則性・均等性又は意匠性を損なわない。凹所及び貫通孔の比率調節は、開口面積の比率調節によって行っても、或いは、数量の比率調節によって行っても良い。
【００２０】
本発明に従ってボード建材の全開孔を上記凹所によって形成しても良い。このようなボード建材は、開孔を貫通孔で形成した吸音性開孔ボード建材と異なり、非吸音性の開孔ボード建材として使用することができる。この非吸音性開孔ボード建材は、吸音性開孔ボード建材と視覚的に同等な印象を室内居住者等に与えるので、吸音性開孔ボード建材に隣接して被施工面に施工しても看者に違和感を与えない。即ち、室内居住者等は、隣接配置された吸音性開孔ボード建材と非吸音性開孔ボード建材との相違を視覚的に認識し難く、従って、室内内装表面の意匠的均一性又は統一性を損なわずに、吸音効果を発揮する開孔ボード建材を被施工面の一部にのみ施工することが可能となる。
【００２１】
また、吸音性開孔ボード建材における凹所の配置は、好ましくは、一定の間隔を隔てて配置される下地材（天井野縁等）の間隔と整合するように設定されるが、実際の建設現場では、壁際の寸法調整のために比較的小寸法にボード建材を裁断したり、空調吹出口、エアコン、照明器具等のための設備開口の配置や、開口補強などを設ける必要が生じる。全開孔を上記凹所によって形成したボード建材（非吸音性開孔ボード）は、このような部分に好適に配置することができる。例えば、係止具の配置に適した位置のみに凹所を有し、他の部分に貫通孔を形成したボード建材（吸音性開孔ボード）を原則として天井全域に施工した天井面において、壁際近傍や、設備開口廻りのみに非吸音性開孔ボードを例外的に施工することができる。このように非吸音性開孔ボードを施工した場合であっても、天井面の意匠的均一性又は統一性は、損なわれず、しかも、パテ処理等の省略による施工性改善の効果は、依然として確保される。
【００２２】
他の観点より、本発明は、上述の開孔ボード建材を製造する製造方法において、雄型の平坦な押圧面をボード建材の表面に押圧し、ボード表面に所定深さの凹所を形成するとともに、ボード係止具を螺子込み可能な凹所の底面を形成することを特徴とするボード建材の製造方法を提供する。
【００２３】
好ましくは、雄型を挿入可能なガイド孔と、ボード表面に当接可能な当接面とを備えたガイドプレートが使用され、雄型の押圧面は、ガイドプレートの当接面がボード表面に当接した状態でボード表面に押圧される。
【００２４】
更に好ましくは、凹所の輪郭と実質的に一致するとともに、ボード表面を変形し易くするようにボード表面に過渡的に食い込む部材が設けられる。このような食い込み部材として、溝、Ｖカット、折曲げ線又はドット等の曲げ変形手段をボード建材の表面に形成する突起、ブレード、スコアリング部材等の食い込み部材を好適に使用し得る。
【００２５】
更に他の観点より、本発明は、前述の如く凹所及び貫通孔の比率を調節して吸音性を向上させた第１ボード建材と、凹所及び貫通孔の比率を調節して吸音性を低下させた第２ボード建材とを室内内装表面に施工し、第１及び第２ボード建材を適切に配置することにより、室内内装表面の意匠的均一性又は統一性を損なうことなく、室の吸音効果及び残響効果を設定することを特徴とするボード建材の施工方法を提供する。
【００２６】
なお、吸音性が低下したボード建材（第２ボード建材）には、貫通孔を全く備ず、凹所のみを備えた非吸音性のボード建材も含まれる。
【発明の効果】
【００２７】
少なくとも開孔の一部を上記凹所によって形成する本発明の上記構成によれば、開孔の規則性・均等性又は意匠性を損なうことなく係止具螺子込み領域又は打込み領域を確保するとともに、係止具露出部分のパテ処理等の省略や、ボード建材表面の塗装・クロス貼りの省略等により、施工性を改善することができるボード建材が提供される。
【００２８】
雄型の圧力で凹所及びその底面を形成する本発明の上記構成によれば、このようなボード建材を効率的に製造するボード建材の製造方法を提供することができる。
【００２９】
上記第１ボード建材及び第２ボード建材によって室内内装表面を施工する本発明の上記構成によれば、室内内装表面の意匠的均一性又は統一性を損なうことなく、室内内装表面の吸音効果及び残響効果を任意に設定することができるボード建材の施工方法を提供することができる。
【発明を実施するための最良の形態】
【００３０】
本発明の好適な実施形態によれば、上記底面は、係止具の先端部を位置決め可能な位置決め指標を有する。このような位置決め指標は、ボード建材の留付け位置を作業者に認識させる目印として利用される。好ましくは、この位置決め指標は、印刷、塗料塗布、窪み等で形成され、好ましくは、係止具の先端を挿入可能な窪み又は孔からなり、凹所底面の中心に配置される。このような構成によれば、位置決め指標によって係止具を凹所の中心に合芯するとともに、位置決め指標の案内によって係止具を正確にボード建材に螺子込み又は打込むことができる。
【００３１】
本発明の或る実施形態によれば、上記貫通孔及び凹所は、均一な寸法・形状の多数の開孔をボード表面に形成する。本発明の他の実施形態によれば、貫通孔及び凹所の開孔寸法は、ボード表面の開孔パターンと整合するように設定される。例えば、開孔寸法が段階的又は徐々に変化するような開孔パターンを採用した場合には、貫通孔及び凹所の開孔位置及び開孔寸法は、開孔パターンの規則に則して適宜設定される。なお、上記実施形態において、凹所の断面形状（開孔部輪郭）は三角形、四角形等の多角形である。
【００３２】
好ましくは、凹所は、基材を局部的に圧密化する非加熱の圧縮成形、例えば、プレス加工により石膏ボード表面に刻設され、凹所の底面及び側面は、石膏ボード原紙で被覆される。ボード建材の表面からの凹所の深さは、プレス加工時に凹所境界部分に生じ得る石膏ボード原紙の強度低下、張力破断、剪断、損耗又は劣化と、凹所の視覚的効果との双方を考慮することが望ましい。例えば、凹所の深さを大きく設定した場合、貫通孔と同等の視覚効果を得る上では望ましいが、反面、係止具の螺子込み時に凹所底面の石膏ボード原紙が剥離し、螺子込み反力で浮き上がる現象が生じ易い。他方、凹所の深さを小さく設定した場合、このような現象は、回避し得るかもしれないが、逆に、凹所及び貫通孔が異質の視覚効果を看者（観者）に与えたり、ボード表面の塗装時に凹所底面に塗料が付着するといった問題が生じ易い。このため、凹所のボード建材表面からの深さは、好ましくは、０．１〜２．０mmの範囲内、更に好ましくは、０．３〜１．０mmの範囲内に設定される。好ましくは、石膏ボード原紙は、予め上記底面の色に着色されており、或いは、上記底面の色の塗料が底面及び係止具の露出部分に塗装される。
【００３３】
また、凹所をプレス加工等により石膏ボード表面に刻設する場合にも又、凹所境界部分に生じ得る石膏ボード原紙の強度低下、張力破断、剪断、損耗又は劣化と、係止具をボード建材に螺子込み又は打込む際にボード原紙に加わる力による原紙の破断との双方を考慮することが望ましい。これを考慮した構成として、例えば、ボード原紙の単位面積当たりの重量（即ち、「坪量」）を１５０〜２５０ｇ／ｍ２の範囲、好ましくは２００ｇ／ｍ２以上に設定することが挙げられる。また、石膏ボードコアとボード原紙間の接着効果を有する薬剤を石膏ボード製造時に添加し、これにより、プレス加工時に生じ得る上述の不具合を抑制することが挙げられる。
【００３４】
石膏ボードコアの比重には、凹所の深さに応じた適正範囲が存在する。このような適正範囲を外れた場合、圧縮時のコアの破壊により、ボード原紙が剥がれる現象が生じ易い。このような現象を考慮し、例えば、コアの比重は、０．５〜１．０、好ましくは、０．７〜０．９の範囲に設定される。また、石膏ボードの原料としては、一般に天然石膏、化学石膏及びリサイクル石膏が使用されるが、リサイクル石膏の配合割合を下げることが望ましい。
【００３５】
望ましくは、開孔部の形成による石膏ボードの強度低下及び耐火性低下を防止すべく、ガラス繊維などの補強材料が石膏ボード製造時にコアに添加される。ガラス繊維は又、ボード建材を天井に施工した場合に、そのダレ（撓み）を防止する作用を発揮する。また、ダレを防止する目的で、ホウ酸等をコア原料に添加することが望ましい。
【００３６】
好適には、吸音性の向上を目的として紙製シート、樹脂製シート等のシート材料をボード建材の貫通孔の裏面に積層することが望ましい。このようなシート材料を裏面に積層することにより、貫通孔を介して火炎がボード建材の裏面に作用する現象を抑制することが可能となる。特に、耐火性を考慮した場合、シート材料として、ガラス繊維及び無機物を含む難燃性のシート材料を使用することが望ましい。無機物として、炭酸カルシウム、珪酸カルシウム、水酸化アルミニウム、セピオライト、ゼオライト等を例示し得る。
【００３８】
以下、添付図面を参照して、本発明の好適な実施例について詳細に説明する。
【実施例１】
【００３９】
図１及び図２は、本発明の第１実施例に係る開孔ボード建材の構成を示す正面図、Ｉ−Ｉ線断面図、部分拡大断面図及び部分拡大斜視図である。図１９は、比較例に係る開孔ボード建材の構成を示す正面図、IV−IV線断面図及び背面図である。
【００４０】
開孔ボード建材１の基材は、石膏芯材１０の両面を石膏ボード原紙１１で被覆した所定厚さＴ（例えば、厚さＴ＝９．５mm）の石膏ボードからなり、所定寸法Ｗ×Ｌ（例えば、４５５mm×９１０mm）の長方形輪郭（正面視）を有する。裏当てシート１５が、開孔ボード建材１の裏面に積層される。裏当てシート１５は、接着剤によって石膏ボードの裏面に貼着される。裏当てシート１５として、ガラス繊維及び無機物を含むシート材料を好適に使用し得る。
【００４１】
開孔ボード建材１には、多数の正方形貫通孔１２が穿設される。各貫通孔１２（図１（Ａ）に黒塗り正方形で表示する）は、図２に示すように、石膏芯材１０及び石膏ボード原紙１１を貫通する。貫通孔１２内には、石膏ボード原紙１１の縁部と、石膏芯材１０の小口面とが露出し、貫通孔１２の視覚的印象は、石膏芯材１０、石膏ボード原紙１１及び裏当てシート１５の色調や、貫通孔１２及びその近傍に入射する自然光又は人工光によって決定される。
【００４２】
図１９（Ａ）及び図１９（Ｂ）には、比較例に係る開孔ボード建材９が示されており、開孔ボード建材９も又、多数の正方形貫通孔９２（枠内を黒塗りした正方形で示す）を備える。各貫通孔９２は、石膏芯材９０及び石膏ボード原紙９１を貫通し、裏当てシート９５が、開孔ボード建材９の裏面に積層される。開孔ボード建材９では、貫通孔９２が開孔ボード建材９の全域に均等に分布又は分散している。従って、開孔ボード建材９を内装下地材にボード固定ビス等で固定するには、ビス等を螺子込むための無開孔領域を確保しなければならない。このため、図１９（Ｃ）に開孔ボード建材９’として示す如く、ボードの外周帯域や、ボードを帯状に横断する部分には、無開孔領域９３が形成される。しかしながら、このような無開孔領域９３の形成により、開孔ボード建材９の意匠性は、制約を受けてしまう。
【００４３】
本実施例の開孔ボード建材１は、図１に示す如く、貫通孔１２と整列した多数の正方形凹所１３（図１（Ａ）に白抜きの正方形で表示する）を無開孔領域Ｓに配置した構成を有する。無開孔領域Ｓは、開孔ボード建材１の側縁領域及び端縁領域（即ち、外周帯域）に延在する外縁部Ｓ１と、開孔ボード建材１の端縁又は側縁と平行に延びる複数の横断部Ｓ２とを含む。
【００４４】
図２に示す如く、貫通孔１２及び凹所１３の開孔寸法は、同一寸法Ｇ×Ｇに設定される。ここに、寸法Ｇは、係止具の大きさや、作業性、更には、係止具の保持力等を考慮し、８mm以上に設定することが望ましい。凹所１３は、例えば、プレス加工で石膏ボード表面に刻設される。凹所１３内の空間は、底面１６及び側面１７によって画成される。凹所１３の深さＤは、０．１〜２．０mmの範囲内、好ましくは、０．３〜１．０mmの範囲内に設定される。なお、本実施例では、プレス成型時に生じ得る凹所境界部分の石膏ボード原紙１１の強度低下、張力破断、剪断、損耗又は劣化等を考慮し、凹所１３の深さＤを上記の如く設定している。しかしながら、石膏ボード原紙１１を備えない形式の石膏板や、他の材質のボード建材を使用する場合には、凹所１３の深さＤを更に大きな寸法値に設定することも可能である。
【００４５】
開孔ボード建材１の表面側に位置するボード原紙１１は、凹所１３及び貫通孔１２が同等の視覚的印象を看者（室内居住者等）に与えるような色相、明度及び彩度に予め着色されている。ボード原紙１１には、表面仕上げ塗料が塗布され、塗膜１８が形成される。塗膜１８は、貫通孔１２及び凹所１３の開孔部分を除き、ボード表面全域に形成され、室内に露出する内装仕上げ面を形成する。凹所１３の底面１６及び側面１７には、ボード原紙１１が露出するが、上述の如く、着色されたボード原紙１１は、塗膜１８の色との関係、そして、凹所１３の深さＤとの関係で貫通孔１２と同等の視覚的印象を室内居住者等に与える。
【００４６】
なお、表面仕上げ塗料と異なる塗料を凹所１３の部分のボード原紙１１に塗装しても良い。その場合、凹所１３内に塗布される塗料として、貫通孔１２と同等の視覚的印象を室内居住者等に与える色相、明度及び彩度の塗料が選択される。望ましくは、室内に露出するビス頭も又、凹所１３の底面１６及び側面１７と同等の視覚的印象を与える色相、明度及び彩度の塗料によって塗装される。
【００４７】
図３は、開孔ボード建材１を室内側から見た部分斜視図である。
【００４８】
凹所１３は、貫通孔１２と同等の視覚効果を与える擬似貫通孔を無開孔領域Ｓに形成するので、開孔ボード建材１は、ボード全面に規則的な貫通孔を均等配置した開孔ボード建材として視覚的に認識される。
【００４９】
図４は、図１に示すII−II線部分の拡大正面図である。
【００５０】
ボード固定ビスの位置決め指標１９が、所定位置の凹所１３に形成される。各指標１９は、図２（Ｂ）に示す如く、底面１６の中心に刻設された小寸法の窪みからなる。本実施例では、各窪みは、非常に小さい寸法に設定されているが、窪みを比較的大きな寸法のものに設計することにより、係止具の螺子込み又は打込みの際に要する力（螺子込み力又は打込み力）を軽減し、ボード原紙の剥離現象（螺子込み又は打込みの際にその反力で生じる底面のボード原紙の剥がれ）を抑制することも可能である。指標１９は、整列配置した凹所１３の全てに必ずしも設ける必要はなく、ボード固定ビスの位置及び間隔を予め仮定し、ビス仮定位置に相当する凹所１３のみに形成すれば良い。本実施例では、指標１９を形成した凹所１３と、指標１９を備えない凹所１３とが交互に配置されている。
【００５１】
図５（Ａ）及び図５（Ｂ）は、内装下地材６０に開孔ボード建材１を固定する態様を示す部分拡大断面図である。
【００５２】
図５（Ａ）に示すように、ボード固定ビス７０が、先端部７２を指標１９に合芯した状態で螺子込み位置に位置決めされる。ビス７０は、ドライバー等の回転工具（図示せず）を使用して開孔ボード建材１に螺子込まれ、下地材６０に螺合する。図５（Ｂ）に示す如く、ビス７０は、螺子頭７１が底面１６と整合する位置まで螺入し、底面１６の石膏ボード原紙１１を押え込む。ビス７０は、螺子頭７１の頂面が石膏ボード原紙１１と面一になった状態で静止する。かくして、開孔ボード建材１は、ビス７０の保持力で下地材６０に固定される。
【００５３】
図５（Ｃ）は、螺子頭７１の頂面の構造を示す斜視図及び部分拡大断面図である。
【００５４】
開孔ボード建材１は、図５（Ｂ）に示すように螺子頭７１を凹所１３内に収容した状態で天井野縁等の下地材６０に留付けられるが、螺子頭７１は、通常は、自然光又は人工光を反射する性質があり、反射光の仕方は、開孔ボード建材１と若干相違する。例えば、特定の方向の光が凹所１３内に入射したとき、螺子頭７１の反射光がその周囲と異なる態様で光を反射し、螺子頭７１の存在が視覚的に目立つような状態が生じ易い。このような状態を防止する手段が、図５（Ｃ）に例示されている。即ち、微細な凹凸７５が螺子頭７１の頂面に形成されるとともに、塗装が凹凸７５上に施され、塗膜７４が形成される。凹凸７５は、例えば、ビス７０の製造時に螺子頭頂面に微細な起伏を形成し、或いは、螺子頭頂面をなし地模様に仕上げることによって形成される。塗膜７４は、エンボス模様のような微細な凹凸模様を螺子頭頂面に形成し、光を乱反射する。このため、特定の方向の入射光によって螺子頭頂面が視覚的に目立つような状態を回避することができる。なお、塗膜７４は、好ましくは、予め工場塗装される。
【００５５】
図６及び図７は、開孔ボード建材１の基材Ｗに凹所１３を形成するための凹所成形方法を示す斜視図及び断面図である。
【００５６】
基材Ｗは、石膏芯材１０の両面を石膏ボード原紙１１で被覆した所定厚さＴ（例えば、厚さＴ＝９．５mm）の石膏ボードからなる。図６に示す凹所成形方法においては、雄型３０が使用され、図７に示す凹所成形方法では、雄型３０及びガイドプレート３１が使用される。
【００５７】
図６には、最も基本的な凹所成形方法が示されており、雄型３０の下端部が、駆動装置（図示せず）によって基材Ｗの水平上面に垂直に押圧される（図６（Ａ））。雄型３０は、平坦な押圧面を有し、押圧面は、基材Ｗの上面に僅かに食い込み、基材Ｗを局所的に圧縮する（図６（Ｂ））。駆動装置が雄型３０を上昇させると、凹所１３が基材Ｗの上面に形成される（図６（Ｃ））。
【００５８】
このように凹所１３を形成した基材Ｗには、ロールコータ等の塗装又は塗工装置によって表面仕上げが施される。本発明者の実験によれば、凹所１３の深さＤ（図２）を０．３mm未満に設定すると、基材Ｗの表面だけではなく凹所１３の底面１６にも塗料又は塗工材料が付着し易く、従って、表面のみを塗装又は塗工することは困難となる（この結果、比較的多数の不良品が製造されてしまう）。他方、凹所１３の深さＤ（図２）が１mmを超える場合、石膏ボード原紙１１が凹所１３の段差部分（縁部）で破断し又は脆弱化し易く、その結果、底面１６の石膏ボード原紙１１が石膏芯材１０から分離し易いと判明した。これは、凹所１３にビスを螺子込む際に、底面１６の石膏ボード原紙がビスの螺子込み反力で浮き上がるといった現象（施工性悪化）に通じることが懸念される。従って、殊に石膏ボードを基材Ｗとして使用した場合、凹所１３の深さＤ（図２）は、好ましくは、０．３〜１．０mmの範囲内、更に好ましくは、０．４〜０．８の範囲内に設定することが望ましい。
【００５９】
図７に示す凹所成形方法では、ガイド孔３２を備えたガイドプレート３１が使用される（図７（Ａ））。ガイドプレート３１の下面は、基材Ｗの上面に当接する。ガイド孔３２は、凹所１３を成形すべき位置に配置される（図７（Ｂ））。ガイド孔３２の形状及び寸法は、雄型３０の断面形状及び寸法と実質的に一致する。雄型３０は、ガイド孔３２に挿入され、基材Ｗの水平上面に垂直に押圧される。雄型３０及びガイドプレート３１の上昇後、凹所１３が、基材Ｗの上面に形成される（図７（Ｃ））。このようなガイドプレート３１を使用した場合、凹所１３の隅部及び角部の角度を比較的正確に成形することができるので、凹所１３の輪郭を比較的シャープに形成し又は明確に画成することができる。
【００６０】
図７に示す凹所形成装置は、このようなガイドプレートに加え、ボード表面に過渡的に食い込むように構成された食い込み部材を更に備えることが望ましい。食い込み部材は、所定位置に配置した状態で基材Ｗの上面に当接し、基材Ｗを押圧した際に、石膏ボード原紙１１に食い込み、これを局部的に切断又は破断する。この結果、凹所１３の輪郭と一致する整列した多数のスリット又は小孔等が基材Ｗの上面に形成される。形成した凹所の縁部は、雄型の圧力で比較的正確に変形し、折れ曲がる。従って、凹所の隅部及び角部の角度は、かなり正確に成形される。かくして、このような食い込み部材の使用により、凹所の輪郭を更にシャープに形成し又は明確に画成することが可能となる。なお、雄型３０は、小突起を下面中央に備えても良い。この小突起は、位置決め指標となる窪みを基材Ｗに刻印する。また、このような成形過程において、ガイドプレート３１及び雄型３０に加え、上記食い込み部材を同時に基材Ｗ上に降下し、上述のスリット又は小孔形成と、凹所形成とを実質的に同時に実行しても良い。
【実施例２】
【００６１】
図８は、本発明の第２実施例に係る開孔ボード建材の構成を示す正面図、III−III線断面図及び部分拡大断面図であり、図９は、図８に示す開孔ボード建材の部分斜視図である。
【００６２】
図８及び図９には、上記第１実施例と同じ石膏ボードを基材として製造された開孔ボード建材２が示されている。開孔ボード建材２は、上記第１実施例の開孔ボード建材１と同じく、石膏芯材１０の両面を石膏ボード原紙１１で被覆した所定厚さＴ（例えば、厚さＴ＝９．５mm）の石膏ボードからなり、所定寸法Ｗ×Ｌ（例えば、４５５mm×９１０mm）の長方形輪郭（正面視）を有し、裏当てシート１５が、裏面に積層される。所望により、裏当てシート１５は、省略することができる。
【００６３】
開孔ボード建材２は、開孔ボード建材１と同じく、ボード固定用ビスで内装下地材に留付けるための領域に凹所１３を備える。凹所１３の開孔寸法Ｇ×Ｇ及び深さＤは、上記開孔ボード建材１の凹所１３の各寸法値と同一に設定される。
【００６４】
開孔ボード建材２は、前述の開孔ボード建材１と異なり、貫通孔１２を全く備えておらず、開孔ボード建材１の貫通孔１２に相当する位置に凹所１３を備える。従って、開孔ボード建材２は、図８（Ａ）に示すように開孔ボード建材１と同じ正面視形状を備えるが、全域に亘って均等に分布した凹所１３を有し、吸音作用を発揮するような貫通孔を全く備えていない。
【００６５】
開孔ボード建材２の表面側に位置するボード原紙１１は、開孔ボード建材１の貫通孔１２（図１）と同等の視覚的印象を与える色相、明度及び彩度に予め着色されており、これにより、凹所１３は、貫通孔１２（図１）と視覚的に同等の印象を室内居住者等に与える。ボード原紙１１には、表面仕上げ塗料が塗布され、塗膜１８が形成される。塗膜１８は、凹所１３の部分を除き、ボード表面全域に形成される。凹所１３の底面１６及び側面１７には、ボード原紙１１が露出するが、上述の如く、着色されたボード原紙１１は、塗膜１８の色との関係、そして、凹所１３の深さＤとの関係で貫通孔１２（図１）と同等の視覚的印象を室内居住者等に与える。
【００６６】
なお、開孔ボード建材１の凹所１３と同じく、表面仕上げ塗料と異なる塗料を凹所１３の部分のボード原紙１１に塗装しても良い。その場合、凹所１３の部分のボード原紙１１は、貫通孔１２（図１）と同等の視覚的印象を与える色相、明度及び彩度の塗料で塗装される。望ましくは、室内に露出するビス頭も又、凹所１３の底面１６及び側面１７と同等の視覚的印象を与える色相、明度及び彩度の塗料にて塗装される。好ましくは、螺子頭頂面に微細な凹凸模様を工場塗装したビス（図５（Ｃ））が開孔ボード建材１の留付けに使用される。
【００６７】
図９に示す如く、凹所１３は、開孔ボード建材１の貫通孔１２（図１）と同等の視覚効果を与える擬似貫通孔を開孔ボード建材２に形成するので、開孔ボード建材２は、ボード全面に規則的な貫通孔を均等配置した開孔ボード建材として視覚的に認識される。
【００６８】
図１０は、開孔ボード建材１及び開孔ボード建材２を天井面に施工した施工例を示す斜視図である。
【００６９】
鋼製天井下地６が、軽量鉄骨製野縁６１、野縁受け材６２、ハンガー６３及び吊りボルト６４を用いて施工される。開孔ボード建材１及び開孔ボード建材２が、ボード固定ビス（図示せず）によって野縁６１に留付けられる。開孔ボード建材１、２は、図５に示す如く、ボード固定ビス４０を指標１９に位置決めし、回転工具で底面１６に螺子込むことにより野縁６１に固定される。
【００７０】
隣接する開孔ボード建材１、２は、視覚的に同等な印象を室内居住者等に与えるので、室内居住者等は、規則的な配列の貫通孔が天井面に全面的に分布しているように意識する。従って、室内内装表面の意匠的均一性又は統一性を損なわずに、開孔ボード建材１、２を天井面に混在させることができる。
【００７１】
図１１及び図１２は、天井面に割付けられた開孔ボード建材１、２のビス位置を例示する天井見上げ図である。
【００７２】
図１１には、開孔ボード建材１、２の目地６５を芋目地（通し目地）形式に配置した施工例が例示されており、縦横の目地６５は、交点６６において直交する。図１２には、開孔ボード建材１、２の目地６５を馬目地（千鳥目地）形式に配置した施工例が例示されており、横目地６８が縦目地６７に突付けられる。いずれの場合であっても、ボード固定ビス４０を適当な凹所１３に位置決めすることができる。
【００７３】
図１３は、開孔ボード建材１、２を施工した天井面の天井割付図である。
【００７４】
壁面８１によって境界を画成した天井面のボード割付が図１３に例示されている。天井面の目地は、芋目地（通し目地）形式に配置されている。一般に、照明器具８２、スピーカー８３、非常照明８４、空調吹出口８５及び天井点検口８６等の設備機器が天井面に配置される。通常は、壁面８１の近傍には、比較的小寸法に裁断された開孔ボード建材が配置され、開孔ボード建材は、天井廻り縁（図示せず）を介して壁面８１と連接する。
【００７５】
図１３に示す天井は、多数の貫通孔１２を穿設した開孔ボード建材１を主として使用したものであるが、このような開孔ボード建材１に設備機器の開口を形成した場合、或いは、開孔ボード建材１を小寸法に裁断した場合には、開孔ボード建材１の強度（剛性、曲げ変形強度、剪断強度等）が大きく低下する傾向がある。このため、図１３に示す天井面においては、凹所１３のみを備えた開孔ボード建材２が、壁面８１の近傍や、設備機器８２、８３、８４を配置すべき帯域に配置される。
【００７６】
変形例として、壁面８１の近傍や、設備機器８２、８３、８４を配置すべき帯域に化粧石膏ボード（例えば、吉野石膏株式会社製ジプトーン、マーブルトーン等）を配置しても良い。
【００７７】
図１４は、室内天井面の音響効果を考慮したボード配置を例示する断面図である。
【００７８】
図１４には、教室又は講堂等の如く、教師、講演者、説明者等のための教壇８８及び黒板８９を備えた室８７が示されている。このような室８７では、音響反射率が比較的高い天井材（吸音率が比較的低い天井材）で教壇８９近傍の天井面を施工し、教壇８９から離れた領域（聴講者領域）の天井面には、比較的吸音率が高い天井材（音響反射率が比較的低い天井材）を施工することが、音響設計上は、望ましいと考えられてきた。しかし、従来の開孔ボード建材では、天井面の建築意匠を統一することが重視される結果、このような天井面の施工は、通常は、行われていない。
【００７９】
上記構成の開孔ボード建材１、２によれば、図１４に示す如く、音響反射率が比較的高い（従って吸音率が比較的低い）構成の開孔ボード建材２によって教壇８９近傍の天井面を施工し、比較的吸音率が高い（従って音響反射率が比較的低い）開孔ボード建材１によって聴講者領域の天井面を施工することができる。開孔ボード建材２の天井面は、教師、講演者等の声を効果的に反射し、聴講者の側への声の通りを良くする。開孔ボード建材１は、例えば、吸音率０．５程度の天井面を聴講者領域に形成し、残響音を低減して教師、講演者等の声を聞き易くする。しかも、室８７の天井面は、全域に亘って、視覚的に均一な開孔ボート建材１、２で施工されるので、天井面の建築意匠は、統一される。
［参考例］
【実施例３】
【００８０】
図１５は、参考例に係る開孔ボード建材の構成を示す拡大断面図及び部分斜視図である。
【００８１】
図１５には、正方形貫通孔１２及び正方形凹所１３を備えた開孔ボード建材３が示されている。開孔ボード建材３は、上記第１実施例の開孔ボード建材１と同じく、石膏芯材１０の両面を石膏ボード原紙１１で被覆した所定厚さＴ（例えば、厚さＴ＝９．５mm）の石膏ボードからなり、所定寸法Ｗ×Ｌ（例えば、４５５mm×９１０mm）の長方形輪郭（正面視）を有し、裏当てシート１５が、開孔ボード建材３の裏面に積層される。
【００８２】
表面側に位置する石膏ボード原紙１１は、貫通孔１２と同等の視覚的印象を与える色相、明度及び彩度に着色しておくことにより、凹所１３と貫通孔１２とが視覚的に同等の印象を室内居住者等に与えるようにすることができる。ボード原紙１１には、比較的厚い被覆層２０を形成可能な樹脂塗料、樹脂塗工材等が、貫通孔１２及び凹所１３の部分を除き、石膏ボード原紙１１に積層される。被覆層２０の厚さＤは、０．１〜２．０mmの範囲内、好ましくは、０．４〜１．０mmの範囲内に設定される。貫通孔１２及び凹所１３の開孔寸法は、均一な寸法（Ｇ×Ｇ）に設定される。寸法Ｇは、係止具の大きさ等を考慮し、８mm以上に設定することが望ましい。
【００８３】
貫通孔１２の内面には、石膏ボード原紙１１の縁部と、石膏芯材１０の小口面とが露出し、貫通孔１２の視覚的印象は、石膏芯材１０及び石膏ボード原紙１１の色合いや、貫通孔１２及びその近傍に入射する自然光や人工光によって決定される。凹所１３の底面１６には、石膏ボード原紙１１が露出し、凹所１３の側面１７は、被覆層２０の縁部によって形成される。
【００８４】
凹所１３の底面１６は、表面仕上げ塗装と異なる塗料で塗装しても良い。底面１６に塗布される塗料として、貫通孔１２と同等の視覚的印象を与える色相、明度及び彩度の塗料が選択される。望ましくは、室内に露出するビス頭も又、凹所１３の底面１６及び側面１７と同等の視覚的印象を与える色相、明度及び彩度の塗料で塗装される。好ましくは、螺子頭頂面に微細な凹凸模様を工場塗装したビス（図５（Ｃ））が開孔ボード建材１の留付けに使用される。
【００８５】
以上、本発明の好適な実施例について詳細に説明したが、本発明は上記実施例に限定されるものではなく、特許請求の範囲に記載された本発明の範囲内で種々の変形又は変更が可能である。
【００８６】
例えば、開孔ボード建材１、２の基材である石膏ボードの寸法、貫通孔１２及び凹所１３の寸法及び配列等は、開孔ボード建材１、２の意匠性、割付寸法、強度、吸音性能等に応じて適宜設計変更することができる。このような開孔ボード建材として、貫通孔１２及び凹所１３の寸法及び配列が異なる開孔ボード建材１が図１６〜１８に例示されている。
【００８７】
また、開孔ボード建材１、２の基材は、石膏ボードに限定されるものではなく、珪酸カルシウム板、ＭＤＦ等の他の材質のボードを適宜使用することができる。
【産業上の利用可能性】
【００８８】
本発明の開孔ボード建材は、建築内装工事に使用される内装仕上げ用ボード建材、殊に、室内音響特性の調整を要する被区画空間、室、部屋、或いは、建物の特定階やホール等の大空間に使用すべき天井板、更には、天井近傍の壁板等として、好ましく使用される。本発明の構成を外装材や、高架道路又は高架鉄道の吸音板等に応用することも可能である。
【図面の簡単な説明】
【００８９】
【図１】本発明の第１実施例に係る開孔ボード建材の構成を示す正面図及びＩ−Ｉ線断面図である。
【図２】図１に示す開孔ボード建材の部分拡大断面図及び部分拡大斜視図である。
【図３】図１及び図２に示す開孔ボード建材を室内側から見た部分斜視図である。
【図４】図１に示すII−II線部分の拡大正面図である。
【図５】ボード固定ビスを凹所に螺子込み、内装下地材に開孔ボード建材を留付ける態様を示す部分拡大断面図及び斜視図である。
【図６】凹所成形方法を示す斜視図である。
【図７】他の凹所成形方法を示す斜視図である。
【図８】本発明の第２実施例に係る開孔ボード建材の構成を示す正面図、III−III線断面図及び部分拡大断面図である。
【図９】図１４に示す開孔ボード建材の部分斜視図である。
【図１０】一部に凹所を配置した開孔ボード建材と、全域に凹所を配置した開孔ボード建材との双方を天井面に施工した施工例を示す斜視図である。
【図１１】天井面に割付けられた開孔ボード建材のビス位置を例示する天井見上げ図である。
【図１２】天井面に割付けられた開孔ボード建材のビス位置を例示する天井見上げ図である。
【図１３】開孔ボード建材を施工した天井面の天井割付図である。
【図１４】室内天井面の音響効果を考慮したボード配置を例示する室の断面図である。
【図１５】参考例に係る開孔ボード建材の構成を示す拡大断面図及び部分斜視図である。
【図１６】貫通孔及び凹所の寸法及び配列に関する変形例を示す開孔ボード建材の正面図である。
【図１７】貫通孔及び凹所の寸法及び配列に関する他の変形例を示す開孔ボード建材の正面図である。
【図１８】貫通孔及び凹所の寸法及び配列に関する更に他の変形例を示す開孔ボード建材の正面図である。
【図１９】比較例に係る開孔ボード建材の構成を示す正面図、IV−IV線断面図及び背面図である。
【符号の説明】
【００９０】
１、２、３  開孔ボード建材
１０  石膏芯材
１１  石膏ボード原紙
１２  貫通孔
１３  凹所
１５  裏当てシート
１６  底面
１７  側面
１８  塗膜
１９  位置決め指標
２０  被覆層
３０  雄型
３１  ガイドプレート
３２  ガイド孔
７０  ボード固定ビス
７１  螺子頭
７４  塗膜
７５  凹凸
【図１】
0004763276.tif 000002
【図２】
0004763276.tif 000003
【図３】
0004763276.tif 000004
【図４】
0004763276.tif 000005
【図５】
0004763276.tif 000006
【図６】
0004763276.tif 000007
【図７】
0004763276.tif 000008
【図８】
0004763276.tif 000009
【図９】
0004763276.tif 000010
【図１０】
0004763276.tif 000011
【図１１】
0004763276.tif 000012
【図１２】
0004763276.tif 000013
【図１３】
0004763276.tif 000014
【図１４】
0004763276.tif 000015
【図１５】
0004763276.tif 000016
【図１６】
0004763276.tif 000017
【図１７】
0004763276.tif 000018
【図１８】
0004763276.tif 000019
【図１９】
0004763276.tif 000020